(57)【特許請求の範囲】
【請求項１】
フレキシブルラックが挿通自在なパイプの内部に、より小径のパイプを幾重にも摺動自在に挿入して各パイプ上端から内側のパイプを突出自在にすると共に、隣接する相互のパイプのうち、内側のパイプの下端には、外側のパイプとの間に位置する摺動リングを取り付け、該外側のパイプの上端には、前記内側のパイプとの間に介在し且つ前記摺動リングと当接して前記各パイプ相互の離脱を阻止するキャップを取り付け、前記フレキシブルラックを前記各パイプに挿通して、該フレキシブルラックを長手方向に繰り出し自在とする上下動装置に連結し、該フレキシブルラックを介して、前記各パイプの上端から隣接する各内側のパイプが突出するように構成した昇降装置であって、
前記隣接する相互のパイプ間に水抜き機構を設け、該水抜き機構は、
前記外側のパイプの壁を貫通する第１の開口と、
前記キャップに出没自在に設けられ、前記摺動リングにより押圧されて没方向に変位された際に前記第１の開口と導通する第２の開口を有するスライダーと、を備え、
前記導通した第１及び第２の開口を介して、前記隣接する相互のパイプ間の隙間に侵入した水を前記外側のパイプの外に排出することを特徴とする昇降装置。
【請求項２】
請求項１記載の昇降装置において、前記キャップは、着脱自在に取り付けられ、前記摺動リングと当接する部分と前記外側のパイプのネジ部と螺合する部分とよりなり、中央にパイプ挿入用の開口を設けたことを特徴とする昇降装置。
【請求項３】
請求項１又は２に記載の昇降装置において、前記各パイプの内部にはフレキシブルラックが挿通自在な中パイプを固定し、該中パイプの径を最上段となるパイプのものから順次小さくなるようにして、各中パイプがそれぞれの上段となるパイプの中パイプの中へ挿通自在とし、前記フレキシブルラックを前記各パイプの中パイプに挿通することを特徴とする昇降装置。
【請求項４】
請求項３に記載の昇降装置において、前記中パイプは相互に摺接自在とし、前記各パイプと前記各キャップ間、前記各パイプと前記各摺動リング間及び前記各中パイプ間をそれぞれ摺動案内構成としたことを特徴とする昇降装置。
【請求項５】
請求項１〜４のいずれか１項に記載の昇降装置において、前記キャップには、前記内側のパイプと摺接する対向面に封止部を設けたことを特徴とする昇降装置。
【請求項６】
請求項１〜５のいずれか１項に記載の昇降装置において、前記パイプの軸方向長さを異ならせることを特徴とする昇降装置。
【発明の詳細な説明】
【０００１】
【発明の属する技術分野】
本発明は、夜間照明用の照明灯等を上下動するための昇降装置に関するものである。
【０００２】
【従来の技術】
従来より、照明灯やアンテナ等を高所に保持するため、あるいは上下位置調節可能に保持するために昇降装置が用いられている。かかる従来の昇降装置の内、最も基本的なものは、図４に示すような、テレスコープ式に嵌合した複数本のパイプからなる伸縮パイプ群と、このパルプ群の最内側パイプに上端を連結したフレキシブルラックと、該ラックを上下動させる装置とを備えてなる昇降装置である。
【０００３】
以下、図４に示す従来の昇降装置について簡単に説明する。
５１は伸縮パイプ群であり、このパイプ群５１はテレスコープ式に嵌合した４本のパイプ５１１、５１２、５１３、５１４からなり、最内側パイプ５１４の下端にはコイルスプリング状のフレキシブルラック５２の上端を連結している。５３はフレキシブルラック５２の上下動装置であり、５４はフレキシブルラック５２の収容ドラムであり、５５は最内側パイプ５１４の上端に設けたランプ等の被保持物である。
【０００４】
上記上下動装置５３は、ハンドル５６により回転するウオーム５７と、このウオーム歯車５７と歯合させたウオーム歯車５８、及びこのウオーム歯車５８と歯合させた歯車５８′と、ウオーム歯車５８と同一軸線上に設けた歯車５９、及び歯車５８′と同一軸線上に設けた歯車５９′とからなる。歯車５９、５９′はフレキシブルラック５２を上下動させるためのピニオンとして作用する。
【０００５】
【発明が解決しようとする課題】
上記した従来の昇降装置は、地面上に設置する大型のものからアンテナや照明灯を自動車上に搭載する小型のものまで種々の型式のものがある。そして、例えば地上設置用の昇降装置の場合、フレキシブルラック５２の収容ドラム５４とこのラック上下動装置５３のみを一体なものとして組み立てておき、伸縮パイプ群５１は目的地で取り付けて使用するのが望ましい。
【０００６】
また、フレキシブルラック５２で押し上げていく際、最上段となる伸縮パイプ群５１１、及びそれに続く適宜数のパイプをある程度押し上げた際、これらの自重により、このフレキシブルラック５２は押し上げる力とは逆向きの力を受け、フレキシブルラック５２の屈曲性により歪んだりして、パイプ内で蛇行しようとする。この場合、フレキシブルラックの強度の問題であるため、フレキシブルラックの径を太くすれば解決できるが、そうすると外部でフレキシブルラックを巻き上げ収納するドラム等の昇降装置の径が飛躍的に大きくなってしまい、全体の規模が大型化して好ましくない。
【０００７】
また、伸縮パイプ群自体の案内構成が十分でなかったため、かじりが生じたり、上下動の動作がスムーズにいかなかったりすることがあった。
また、パイプの長さが一種類しかないと、最高高さが決まってしまい、使用範囲が制限されてしまう。
さらに、パイプを伝わる雨水の浸入等により、各パイプ内部の保守点検が容易ではなかった。
【０００８】
そこで、本発明は、上記問題点を除去し、最内側パイプとフレキシブルラックとの着脱を容易にするとともに、各パイプ間の着脱を容易にし、フレキシブルラックの蛇行を抑制することができる昇降装置を提供することを目的とする。
【０００９】
【課題を解決するための手段】
〔１〕請求項１記載の昇降装置では、各パイプ１，２，３，４相互は着脱自在なキャップ１１，１３，１５により離脱しない構成とし、各パイプ１，２，３，４の内部にはフレキシブルラック（特殊巻スプリング）（以下、スプリングという）３５が挿通自在な中パイプ１２，１４，１６を固定し、この中パイプ１２，１４，１６の径を最上段となるパイプ１２のものから順次小さくなるようにして、各中パイプが、それぞれの上段となるパイプの中パイプの中へ挿通自在となる。
【００１０】
昇降装置の組立時、各パイプ１，２，３，４を、軸方向長さを選択して同心状に配置し、中パイプの中心を通してスプリング３５を引き出し、スプリング３５に中心パイプ１０を連結し、中心パイプ１０に連結された台座２０を最上段パイプ１に固着し、各パイプ１，２，３，４の上端に各キャップ１１，１３，１５を固着した後、パイプ群をギアボックスに固定する。昇降装置の使用時、スプリング３５を押し上げると、パイプ１から順次パイプ４まで上動して各パイプ１，２，３，４が延びきる。スプリング３５は延びきっても、中パイプ１２，１４，１６で案内されているので、スプリング３５は問題となるほどに蛇行しない。
【００１１】
〔２〕請求項２記載の昇降装置は、請求項１記載の昇降装置において、キャップをパイプ下端の摺動リングと当接する部分とパイプのネジ部と螺合する部分とから構成し、中央にパイプ挿入用の開口を設けているため、キャップのパイプへの着脱が容易に行えると共に、パイプ同士の抜け止めとなり、開口によりパイプの案内を行うことができる。
【００１２】
〔３〕請求項３記載の昇降装置は、請求項２記載の昇降装置において、キャップに、パイプと摺接する対向面に封止部を設けたのでパイプ表面を伝わる雨水等の侵入を防止することができる。
〔４〕請求項４記載の昇降装置は、請求項２又は３記載の昇降装置において、中パイプを相互に摺接自在とし、各パイプと各キャップ間、各パイプと各摺動リング間及び各中パイプ間をそれぞれ摺動案内構成としたので、各パイプ間及び各中パイプ間の上下動を極めてスムーズにすることができる。
【００１３】
〔５〕請求項５記載の昇降装置は、請求項２〜４のいずれか１項に記載の昇降装置において、キャップを固着したパイプのキャップ近傍に開口を設け、キャップ内部にバネに抗して出没自在とし、且つパイプの開口を摺動リングとの当接により封止または導通可能とする開口を備えたスライダーを移動自在に設けたので、各パイプを伸ばした使用時、各パイプ間の隙間に浸入した雨水等を、両開口を介して外部に排出することができる。
【００１４】
〔６〕請求項６記載の昇降装置は、請求項２〜５のいずれか１項に記載の昇降装置において、パイプの軸方向長さを異ならせたので、各パイプに対する着脱自在な各キャップ及び台座を介した取り付けにより、異なるパイプ群を使用することができる。
【００１５】
【発明の実施の形態】
以下、本発明の実施例について図面を参照しながら詳細に説明する。
図１は本発明の実施例の昇降装置のパイプ群を示す断面図、図２は本発明の実施例の昇降装置のギアボックス及びドラムを示す断面図、図３は本発明の実施例の昇降装置のキャップを示す断面図である。
【００１６】
これらの図において、１、２、３及び４は、それぞれ両端が開口した円筒状のパイプであり、順に径が小さくなっており、各外側のパイプの内周に摺動自在となるように挿入されている。なお、図１は各パイプ１、２、３及び４が全て延びきった状態を示しており、しかも、各パイプ１、２、３及び４はそれぞれ外側に位置するパイプと相互に離脱しないように構成されるものである。
【００１７】
離脱しない手段としては、例えば各パイプの上端にキャップをまた下端に摺動リングをそれぞれ着脱自在に設ける手段、各パイプの上下端にそれぞれ折り返し部と着脱自在の鍔を設ける手段等により構成する。
最上段のパイプ１の下端には、中央に開口を有する摺動リング５が固着されている。固着の手段は、パイプ１の外側のネジ部への螺合またはパイプ１の外側からのネジボルトの締着による。また、パイプ２、３も、それぞれの下端に中央に開口を有する摺動リング６及び７を同様に着脱自在に固着されている。最下段のパイプ４の下端には、底部リング８が固定されるとともに、ホルダー１７が着脱自在に固着されている。
【００１８】
各摺動リング５、６、７及び底部リング８の開口の径は順次小さくなっている。なお、図１では、最上段及び最下段の摺動リングと途中の摺動リングとの形状が異なっているが、相似形の形状とすることも可能である。
各摺動リング６、７及び８の各開口の内側には中パイプ１２、１４及び１６をそれぞれ立設状態に固着している。これらの各中パイプは、中パイプ１６が中パイプ１４の中へ、中パイプ１４が中パイプ１２の中へ、と摺動自在となるように構成されている。
【００１９】
各パイプ２、３及び４の上端には、キャップ１１、１３及び１５が、着脱自在に設けられている。パイプ１の上端には、台座２０が着脱自在に設けられている。これらキャップ１１、１３及び１５並びに台座２０の固着手段は、パイプ外側面への螺合またはネジ止め等の着脱自在な手段で構成されている。各キャップ１１、１３、及び１５は、各パイプに螺合するネジ部と各摺動リングの抜け止めとなる抜け止め部からなり、中央に対向するパイプの外側と摺接する開口を有する。
【００２０】
なお、キャップは、図３のように構成されていても良い。図３のキャップは、断面コ字状で、パイプ２に螺合するようにネジ部を有し、パイプ１との対応部にラビリンス溝、Ｏリング等の封止部４６を有する。また、必要に応じて、水抜き機構を設けることもできる。この水抜き機構は、パイプ２のキャップ１１下端近傍に設けた開口４４と、キャップ１１からバネ４１により所定部分が突出し、摺動リング６により上方へ押圧されたときパイプ２の開口と連通する開口４５を備えたスライダー４３とから構成する。なお、図３において、４２はネジ山である。
【００２１】
図２に示すように、最上段のパイプ１の内部にはフレキシブルラックとしての特殊巻きバネよりなるスプリング３５を固定するための、台座２０に連結された中心パイプ１０、この中心パイプ１０の内側に螺合するネジ２１と、そのネジ２１に連結されたボール部２２、そのボール部２２を回動自在、且つ抜け止め状態に受ける受け金具２３等の着脱自在な連結手段が設けられている。
【００２２】
テレスコープ式のパイプ群を上下動させる上下動装置は、特殊巻きバネよりなるスプリング３５と、モーターにベルト、Ｖプーリー３３、ウオームギア３２を介して連結されたラックギア３１とからなる。このラックギア３１は、スプリング３５に歯合するようになっている。ギアボックス３０は、各ギアを所定配置に収納すると共にホルダー１７を載置固定し、ドラム３４に載置固定されている。このドラム３４内には、スプリング３５が渦巻き状に収納されている。
【００２３】
モーターの始動により、ベルト、Ｖプーリー３３、ウオームギア３２を介してラックギア３１を正逆回転し、ラックギア３１と歯合するスプリング３５を直線的に上下動させ、中心パイプ１０、台座２０を介して各パイプを順次上下動させる。各キャップとそれに対応する摺動リングとの当接、離脱により順次パイプ１、パイプ２、パイプ３及びパイプ４の正逆方向の上下動を可能にする。
【００２４】
各パイプの案内は、各中パイプ同士または必要に応じて中パイプ１２とパイプ１内周面との摺接、各パイプと各摺接リンドとの摺接、各キャップと各パイプの摺接により行う。
上下動装置が延びきったとき最上段となる台座２０に、高所作業用の照明装置等の機器を適宜設ける。
【００２５】
各パイプは、必要に応じて、長さ方向の異なるパイプを複数設けておく。
なお、本発明は上記実施例に限定されるものではなく、本発明の趣旨に基づき種々の変形が可能であり、それらを本発明の範囲から排除するものではない。
【００２６】
【発明の効果】
以上、詳細に説明したように、本発明によれば、以下のような効果を奏することができる。
〔１〕請求項１記載の発明では、各パイプ相互は着脱自在なキャップにより離脱しない構成とし、各パイプの内部にはフレキシブルラックが挿通自在な中パイプを固定し、この中パイプの径を最上段となるパイプのものから順次小さくなるようにして、各中パイプがそれぞれの上段となるパイプの中パイプの中へ挿通自在となる。キャップがパイプに対して着脱自在となっているので、組立が容易であり且つ種々の形態のパイプを使用することができる。
【００２７】
昇降装置の組立時、各パイプを、軸方向長さを選択して同心状に配置し、中パイプの中心を通してスプリングを引き出し、スプリングに中心パイプを連結し、中心パイプに連結された台座を最上段パイプに固着し、各パイプの上端に各キャップを固着した後、パイプ群をギアボックスに固定する。昇降装置の使用時、スプリングを押し上げると、最上段パイプから順次最下段パイプまで上動して各パイプが延びきる。その際スプリングは延びきっても、中パイプで案内されているので、スプリングは問題となるほどに曲がらない。従って、パイプ群の長さが長くても、スプリングの蛇行を防止することができる。
【００２８】
〔２〕請求項２記載の発明では、請求項１記載の発明において、キャップをパイプ下端の摺動リングと当接する部分とパイプのネジ部と螺合する部分とから構成し、中央にパイプ挿入用の開口を設けているため、キャップのパイプへの着脱が容易に行えると共に、パイプ同士の抜け止めとなり、開口によりパイプの案内を行うことができる。
【００２９】
〔３〕請求項３記載の発明では、請求項２記載の発明において、キャップに、パイプと摺接する対向面に封止部を設けたので、パイプ表面を伝わる雨水等の浸入を防止することができる。
〔４〕請求項４記載の発明では、請求項２又は３記載の発明において、中パイプを相互に摺接自在とし、各パイプと各キャップ間、各パイプと各摺動リング間及び各中パイプ間をそれぞれ摺動案内構成としたので、各パイプ間及び各中パイプ間の上下動を極めてスムーズにすることができる。
【００３０】
〔５〕請求項５記載の発明では、請求項２〜４のいずれか１項に記載の発明において、キャップを固着したパイプのキャップ近傍に開口を設け、キャップ内部にバネに抗して出没自在とし、且つパイプの開口を摺動リングとの当接により封止または導通可能とする開口を備えたスライダーを移動自在に設けるようにしたので、各パイプを伸ばして使用した時、各パイプ間の隙間に浸入した雨水等を、両開口を介して外部に排出することができる。
【００３１】
〔６〕請求項６記載の発明は、請求項２〜５のいずれか１項に記載の発明において、パイプの軸方向長さを異ならせるようにしたので、各パイプに対する着脱自在な各キャップ及び台座を介した取付けにより、異なるパイプ群を使用することができる。
【図面の簡単な説明】
【図１】本発明の実施例の昇降装置のパイプ群を示す断面図である。
【図２】本発明の実施例の昇降装置のギアボックス及びドラムを示す断面図である。
【図３】本発明の実施例の昇降装置のキャップを示す断面図である。
【図４】従来の昇降装置を示す断面図である。
【符号の説明】
１，２，３，４    円筒状のパイプ
５，６，７    摺動リング
８    底部リング
１０    中心パイプ
１１，１３，１５    キャップ
１２，１４，１６    中パイプ
１７    ホルダー
２０    台座
２１    ネジ
２２    ボール部
２３    受け金具
３０    ギアボックス
３１    ラックギア
３２    ウオームギア
３３    Ｖプーリー
３４    ドラム
３５    フレキシブルラック（特殊巻きスプリング）
４１    バネ
４２    ネジ山
４３    スライダー
４４，４５    開口
４６    封止部
【図１】
0004043563.tif 000002
【図２】
0004043563.tif 000003
【図３】
0004043563.tif 000004
【図４】
0004043563.tif 000005